(57)【要約】【課題】アルコールのような極性物質を吸着する極性物質吸着剤へ水分が吸着する際の吸着熱による温度上昇を抑制する。【解決手段】ケーシング１内に形成される通路３の一端に、燃料蒸気導入口４及び燃料蒸気排出口５を設け、通路３の他端に、大気開放口６を設ける。通路３内に充填される吸着剤２を、主として非極性物質を吸着する非極性物質吸着剤７と、主として極性物質を吸着する極性物質吸着剤８と、により構成する。全吸着剤２の容積に対する極性物質吸着剤８の容積を１５％以下に抑制する。【選択図】　図１
2004011443.tif 000002
【特許請求の範囲】
【請求項１】
ケーシング内に形成される通路の一端に、燃料蒸気導入口及び燃料蒸気排出口が設けられとともに、上記通路の他端に、大気開放口が設けられ、
かつ、上記通路内に充填される吸着剤が、主として非極性物質を吸着する非極性物質吸着剤と、主として極性物質を吸着する極性物質吸着剤と、により構成される内燃機関の蒸発燃料捕集装置において、
全吸着剤の容積に対する上記極性物質吸着剤の容積が１５％以下であることを特徴とする内燃機関の蒸発燃料捕集装置。
【請求項２】
上記非極性物質吸着剤からなる第１非極性物質吸着剤層及び第２非極性物質吸着剤層と、上記極性物質吸着剤からなる極性物質吸着剤層と、を有し、
上記第１，第２非極性物質吸着剤層との間に上記極性物質吸着剤層を挟み込むように、これら３つの吸着剤層が上記通路の流れ方向に積層されていることを特徴とする請求項１に記載の内燃機関の蒸発燃料捕集装置。
【請求項３】
上記極性物質吸着剤が、上記通路の流れ方向にほぼ均一に分散されていることを特徴とする請求項１に記載の内燃機関の蒸発燃料捕集装置。
【請求項４】
上記極性物質吸着剤からなる複数の極性物質吸着剤列を有し、これら極性物質吸着剤列は、それぞれ通路の流れ方向と平行に延びる板状をなし、かつ、通路の流れ方向と直交する方向に間欠的に配置されていることを特徴とする請求項３に記載の内燃機関の蒸発燃料捕集装置。
【請求項５】
上記極性物質吸着剤からなる少なくとも１つのハニカム構造体を有し、このハニカム構造体が、通路の流れ方向に平行に延びる複数の細孔を有することを特徴とする請求項３に記載の内燃機関の蒸発燃料捕集装置。
【請求項６】
複数の上記ハニカム構造体が上記通路の長手方向に積層され、隣り合うハニカム構造体の細孔の位置を互いにずらせたことを特徴とする請求項５に記載の内燃機関の蒸発燃料捕集装置。
【発明の詳細な説明】
【０００１】
【発明の属する技術分野】
本発明は、アルコール系燃料を利用する自動車用内燃機関に特に好適な蒸発燃料捕集装置（キャニスタとも呼ぶ）に関する。上記のアルコール系燃料には、アルコール単独の燃料の他、アルコールとガソリンの混合燃料が含まれる。
【０００２】
【従来の技術】
近年、大都市においては車の排気ガスによる人体及び環境への悪影響が懸念されており、排ガス規制も強化する方向で検討されている。これらの対策の一環として、ガソリンより低公害なアルコール系燃料が注目されている。
【０００３】
このようなアルコール系燃料に適した内燃機関の蒸発燃料捕集装置が、例えば特開昭５９−２２６２６３号公報で提案されている。蒸発燃料捕集装置内に形成される通路には、ガソリンのような非極性物質を吸着し易い活性炭からなる第１の吸着剤層と、アルコールのような極性物質を吸着し易いシリカゲル等からなる第２の吸着剤層と、が通路の流れ方向に積層して充填されている。第１の吸着剤層は燃料蒸気導入口の近くに配置され、第２の吸着剤層は大気開放口の近くに配置されている。
【０００４】
【発明が解決しようとする課題】
上記公報のような２層構造の蒸発燃料捕集装置では、極性物質を吸着し易い第２の吸着剤層が燃料蒸気導入口又は大気導入口のいずれかに隣接することとなる。このため、燃料蒸気導入口や大気導入口より多量の水分（水蒸気）が導入された場合に、極性物質を吸着する第２の吸着剤層が多量の水分を急速に吸着してしまい、その吸着熱によって温度が急速に上昇し、蒸発燃料捕集装置の吸着剤やケーシングに悪影響（ダメージ）を与えるおそれがある。
【０００５】
本発明は、非極性物質吸着剤及び極性物質吸着剤の双方を備え、アルコール系燃料に適した内燃機関の蒸発燃料捕集装置において、極性物質吸着剤へ水分が吸着する際の温度上昇による蒸発燃料捕集装置へのダメージを効果的に解消し得る新規な蒸発燃料捕集装置を提供することを主たる目的としている。
【０００６】
【課題を解決するための手段】
本発明に係る内燃機関の蒸発燃料捕集装置は、ケーシング内に形成される通路の一端に、燃料蒸気導入口及び燃料蒸気排出口が設けられ、上記通路の他端に、大気開放口が設けられている。上記通路内に充填される吸着剤は、主としてガソリンのような非極性物質を吸着する活性炭のような非極性物質吸着剤と、主としてアルコールのような極性物質を吸着する極性物質吸着剤と、により構成される。
【０００７】
極性物質吸着剤は、好ましくは、シリカゲルをベースとした変性シリカゲルを主成分とする。この変性シリカゲルは、本出願人等により本出願と同時に出願される「内燃機関用の蒸発燃料捕集装置の吸着剤」に詳しく記載されているように、ベースとなるシリカゲルの表面に存在するシラノール基を、アルキルシリル基，アルコキシ基，水酸基を有するアルコキシ基，アミノアルキル基，又はアミノ基などに改質したものである。このような変性シリカゲルは、燃料蒸気と外気に含まれる水分より極性が弱いながら、燃料蒸気に含まれる炭化水素より極性が強く、燃料蒸気中のアルコールのような極性物質を選択的に吸着でき、非極性物質吸着剤としての活性炭と組み合わせて用いることにより、アルコール系燃料の燃料蒸気の捕集に優れた吸着性能を発揮する。
【０００８】
本発明は、上記の温度上昇を抑制するのに適した極性物質吸着剤の容積比率、更には通路内における吸着剤のレイアウト、を新規に提案するものである。極性物質吸着剤の容積は、全吸着剤の容積に対して１５％以下、好ましくは１〜１３％に抑制する。更に望ましくは、非極性物質吸着剤の容積を９０％以上、極性物質吸着剤の容積を１０％以下とする。このように極性物質吸着剤の容積比率を充分に低く抑制することにより、極性物質吸着剤へ吸着される水分の量が減り、その吸着熱による温度上昇も抑制される。極性物質吸着剤は、上記のような変性シリカゲルを採用することにより、少ない容積比率でも燃料蒸気に対して充分な吸着性能を得ることができる。
【０００９】
第１の発明では、上記非極性物質吸着剤からなる第１非極性物質吸着剤層及び第２非極性物質吸着剤層と、上記極性物質吸着剤からなる極性物質吸着剤層と、を有し、上記第１，第２非極性物質吸着剤層の間に上記極性物質吸着剤層を挟み込むように、これら３つの吸着剤層が上記通路の流れ方向に積層されている。この場合、極性物質吸着剤層と燃料蒸気導入口や大気開放口との間に非極性物質吸着剤層が確実に存在することとなる。従って、燃料蒸気導入口や大気開放口から時として多量に導かれる水分は、非極性物質吸着剤層を通過する間に減少する。このため、極性物質吸着剤が吸着することとなる水分の量が減少し、その吸着熱による温度上昇が充分に抑制される。
【００１０】
第２の発明は、上記極性物質吸着剤が上記通路の流れ方向にほぼ均一に分散されていることを特徴としている。この場合、通路の流れ方向の一部分で局所的に吸着熱が高くなることがないので、蒸発燃料捕集装置の耐久性が向上する。
【００１１】
このように極性物質吸着剤を均一に分散させるためには、極性物質吸着剤と非極性物質吸着剤とを予め均一に混ぜ合わせれば良い。しかしながら、一般的に、シリカゲルをベースとする極性物質吸着剤と粒状の活性炭である非極性吸着剤とは比重が異なる等の理由で予め均一に混ぜ合わせることは困難である。そこで本発明の蒸発燃料捕集装置では、通路内に非極性物質吸着剤と極性物質吸着剤とを交互に層状に積層する場合、まず最初に非極性物質吸着剤を所定の厚さに層状に形成した後、続いて極性物質吸着剤を所定の厚さになるように層状に形成することを提案する。これにより、流れ方向に対して均一な配置を簡便に形成することができる。これに対して非極性物質吸着剤あるいは極性物質吸着剤を予め所定形状に製作しておくこともできる。この場合には、非極性物質吸着剤あるいは極性物質吸着剤をベントナイト等の適宜なバインダを用いて後述する板状やハニカム状などの所定形状に予備成形し、その形状やレイアウトにより、極性物質吸着剤を通路の流れ方向にほぼ均一に分散させる。
【００１２】
例えば、上記極性物質吸着剤により複数の板状の極性物質吸着剤列を予備成形し、これら極性物質吸着剤列を、それぞれ通路の流れ方向と平行で、かつ、通路の流れ方向と直交する方向に間欠的に配置する。
【００１３】
あるいは、上記極性物質吸着剤からなるハニカム構造体を予備成形し、このハニカム構造体を、その細孔が通路の流れ方向に平行に延びるように配置する。極性物質吸着剤を更に均一に分散させるために、複数のハニカム構造体を通路の長手方向に積層し、隣り合うハニカム構造体の細孔の位置を互いにずらせる。この場合、通路の流れ方向で複数のハニカム構造体の側壁が千鳥状、螺旋状に配置されることになる。
【００１４】
【発明の効果】
本発明によれば、主としてアルコールのような極性物質を吸着する極性物質吸着剤を備えた蒸発燃料捕集装置において、この極性物質吸着剤が水分を吸着する際の吸着熱による温度上昇を効果的に抑制することができる。
【００１５】
【発明の実施の形態】
先ず、図１〜図７を参照して、全実施例に共通する蒸発燃料捕集装置の構造及び作用効果について説明する。蒸発燃料捕集装置は、アルコール系燃料を利用する自動車用内燃機関に好適に用いられるもので、略中空直方体形状（箱状）のケーシング１を主体としている。このケーシング１の内部には、吸着剤２が充填される通路３が画成されているとともに、端部壁１ａ側と蓋体６ａ側の両端部に所要広さの蒸気燃料の導入室Ｃ１又は大気の導入室Ｃ３を介在させて多孔板９が配設され、かつ、この多孔板９の内側に不織布等からなるフィルタ部材１０が重ねて配設されている。対向する両端のフィルタ部材１０の間は所定容積の吸着室Ｃ２をなしている。蓋体６ａと大気側多孔板９の間には、コイルばね１５が配設されており、一定の積層状態を維持するように図の右方に圧迫保持している。この通路３の一端には、燃料タンクから燃料蒸気を導入する管状の燃料蒸気導入口４と、吸着剤２から脱離した燃料蒸気を機関の吸気系へ送り込む燃料蒸気排出口５と、が設けられる。通路３の他端には、開放端を閉じる蓋体６ａが配設され、この蓋体６に大気へ開放する管状の大気開放口６が設けられる。周知のように、車両の停止時や燃料の補給時には、燃料タンク内に生じる燃料蒸気を燃料蒸気導入口４を通して通路３へ導入し、吸着剤２に吸着・保持させる。所定の機関運転状態では、吸気負圧などを利用して、大気開放口６から燃料蒸気排出口５へ向かう大気流れを生成し、吸着剤２から燃料蒸気を脱離させて機関の吸気系へ送り込む。
【００１６】
通路３内に充填される吸着剤２は、主としてガソリンのような非極性物質を吸着する非極性物質吸着剤７と、主としてアルコールのような極性物質を吸着する極性物質吸着剤８と、により構成される。非極性物質吸着剤７は、例えば粒子径が約２〜３ｍｍ程度の粒状の石灰系，ヤシガラ系，木質系等の種々の活性炭を使用することができる。極性物質吸着剤８は、例えば粒子径が約２〜３ｍｍ程度の粒状をなし、シリカゲル表面に存在するシラノール基を、アルキルシリル基，アルコキシ基，水酸基を有するアルコキシ基，アミノアルキル基及びアミノ基などに改質した変性シリカゲルからなるもので、シリカゲルの表面が改質されたことにより燃料蒸気と外気に含まれる水分より極性が弱く、燃料蒸気に含まれる炭化水素よりも極性の強い燃料蒸気中のアルコールを選択的に吸着できることから蒸発燃料捕集装置全体に占める容積が少ない場合でも、充分なアルコール吸着能力を発揮することができるものである。
【００１７】
非極性物質吸着剤７あるいは極性物質吸着剤８を蒸発燃料捕集装置の通路３内に層状に交互に積層する場合は、まず最初に、非極性物質吸着剤７を所定の厚さに層状に形成した後、極性物質吸着剤８を所定の厚さに層状に形成することを繰り返すことにより形成することができる。また、必要に応じて予め所定形状を製作して積層した配置を得る場合には、非極性物質吸着剤７あるいは極性物質吸着剤８にベントナイトなどの適宜なバインダを用いて予備成形したものを使用しても良い。
【００１８】
通路３内に充填される全吸着剤２の容積に対し、極性物質吸着剤８の容積は、１５％以下、好ましくは１〜１３％、更に好ましくは１０％に抑制される。言い換えると、全吸着剤２の容積に対する非極性物質吸着剤７の容積が、８５％以上、好ましくは８７〜９９％、更に好ましくは９０％に設定される。このように極性物質吸着剤８の容積比率を充分に低く抑制することにより、極性物質吸着剤８へ水分が吸着する際の吸着熱による温度上昇が抑制される。また、大部分をなす非極性物質吸着剤７の領域が断熱層として機能することにより、ケーシング１への伝熱が抑制される。従って、過度な温度上昇に起因して吸着剤２の変質による吸着性能の低下やケーシング１が熱変形による亀裂や破損といった悪影響（ダメージ）を受けることを回避することができる。
【００１９】
図１は、本発明の第１実施例に係る蒸発燃料捕集装置を示す断面図である。通路３内の吸着剤２は、非極性物質吸着剤７からなる第１非極性吸着剤層１１及び第２非極性物質吸着剤層１２と、極性物質吸着剤８からなる極性物質吸着剤層１３と、からなる三層構造をなしている。これら３つの吸着剤層１１〜１３は、第１，第２非極性物質吸着剤層１１，１２の間に極性物質吸着剤層１３を挟み込むように、通路３の流れ方向Ｆに積層されている。つまり、第１非極性物質吸着剤層１１が大気開放口６に隣接し、第２非極性物質吸着剤層１２が燃料蒸気導入口４及び燃料蒸気排出口５に隣接し、これら非極性物質吸着剤層１１，１２が、極性物質吸着剤層１３と燃料蒸気導入口４や燃料蒸気排出口５，大気開放口６との間に介装されている。
【００２０】
従って、燃料蒸気導入口４や大気開放口６から導入される水分が直接的に極性物質吸着剤８に吸着されることはなく、その吸着熱による温度上昇が抑制される。詳しくは、燃料蒸気導入口４より飽和量を超えるような多量の水分を含む燃料蒸気が導入された場合、その燃料蒸気内に含まれる水分の量は、第２非極性物質吸着剤層１２を通過する間に、非極性物質吸着剤７との衝突などにより飽和蒸気圧程度にまで低減される。残りの水分を極性物質吸着剤８が吸着することにより、極性物質吸着剤層１３の温度はある程度上昇するものの、非極性物質吸着剤層１１，１２が断熱層として機能することにより、ケーシング１への伝熱は抑制される。大気開放口６から飽和量を超える多量の水分を含む外気が導入された場合にも、同様に、第１非極性物質吸着剤層１１を通過する間に水分の量が低減される等により、ケーシング１や吸着剤２の温度上昇が抑制される。
【００２１】
なお、非極性物質吸着剤層１１，１２と極性物質吸着剤層１３との間に適宜な不織布などを介装しても良い。
【００２２】
図２〜７を参照して、第２〜４実施例に共通する特徴的な構成及び作用効果について説明する。極性物質吸着剤８は、通路３の流れ方向Ｆにほぼ均一に分散して配置されている。つまり、図１に示す第１実施例の極性物質吸着剤層１３のように流れ方向Ｆの一部分に局所的に偏在してはいない。従って、流れ方向Ｆに直交する直交面内における極性物質吸着剤８の（面積）比率が、流れ方向Ｆの全長にわたって充分に低く抑制される。このため、極性物質吸着剤８への吸着熱が流れ方向Ｆに良好に分散されるため、流れ方向Ｆの一部分で局所的に温度が上昇するようなことがなく、蒸発燃料捕集装置の信頼性・耐久性が向上する。
【００２３】
図２及び図３は本発明の第２実施例に係る蒸発燃料捕集装置を示しており、図３は図２のＡ−Ａ線に沿う断面図である。この第２実施例では、板状をなす複数の非極性物質吸着剤列２１と、板状をなす複数の極性物質吸着剤列２２とが、流れ方向Ｆに直交する方向Ｇで交互に（互い違いに）配列されている。極性物質吸着剤列２２は、それぞれ適宜なバインダを用いて予め板状に予備成形されており、流れ直交方向Ｇで交互に通路３内に配設される。これらの極性物質吸着剤列２２を除く通路３内部に非極性物質吸着剤７としての粒状活性炭を充填することにより、４つの非極性物質吸着剤列２１が形成される。この第２実施例によれば、極性物質吸着剤８が流れ方向Ｆでほぼ完全に均一に分散配置され、かつ、図３に示す流れ方向Ｆに直交する面においても、極性物質吸着剤列２２が間欠的に分散配置される。従って、板状をなす極性物質吸着剤列２２を利用した簡素な構造でありながら、蒸発燃料捕集装置の局所的な温度上昇を更に効率的に防止することができる。
【００２４】
図４及び図５は本発明の第３実施例に係る蒸発燃料捕集装置を示し、図５は図４のＢ−Ｂ線に沿う断面図である。この第３実施例では、通路３の内部に、極性物質吸着剤８からなる１つのハニカム構造体３１が配設される。このハニカム構造体３１は、流れ方向Ｆに沿って延びる多数の細孔３２を備えており、図５に示すように流れ方向Ｆに直交する断面が格子状をなしている。このようなハニカム構造体３１が、通路３内のほぼ全体に配設されている。このハニカム構造体３１の細孔３２を埋めるように、非極性物質吸着剤７が通路３内に充填される。この第３実施例では、非極性物質吸着剤７が流れ方向Ｆでほぼ完全に均一に分散配置され、かつ、流れ方向Ｆに直交する面においても、極性物質吸着剤８が格子状に分散配置される。従って、１つのハニカム構造体３１を用いた簡素な構造でありながら、蒸発燃料捕集装置の局所的な温度上昇を効果的に防止することができる。
【００２５】
図６及び図７は本発明の第４実施例に係る蒸発燃料捕集装置を示し、図７は図６のＣ−Ｃ線に沿う断面図である。この第４実施例では、通路３の内部に、極性物質吸着剤８により予め予備成形される複数のハニカム構造体４１が配設される。各ハニカム構造体４１は、流れ方向Ｆに沿って延びる多数の細孔４２を備えており、図７に示すように流れ方向Ｆに直交する断面が格子状をなしている。これら複数のハニカム構造体４１は、流れ方向Ｆに隣り合うハニカム構造体４１の細孔４２が互いにずれるように、通路３の流れ方向Ｆに積層されている。従って、図６に示す流れ方向Ｆにおいて、複数のハニカム構造体４１の側壁４３が螺旋状、あるいは千鳥状に配列される。これらハニカム構造体４１の細孔４２を埋めるように、非極性物質吸着剤７としての粒状活性炭が通路３内に充填される。このような第４実施例によれば、上記の第３実施例に比して、構造は若干複雑化するものの、通路３の内部で極性物質吸着剤８が三次元的に分散化されることとなり、局所的な温度上昇を効果的に抑制することができる。
【００２６】
なお、本発明は上述した実施例の内容に限定されるものではなく、種々の変形・変更を含むものである。例えば、ケーシングの内部通路が略Ｕ字状をなす蒸発燃料捕集装置にも本発明を適用することができる。
【図面の簡単な説明】
【図１】本発明の第１実施例に係る蒸発燃料捕集装置を示す断面図。
【図２】本発明の第２実施例に係る蒸発燃料捕集装置を示す断面図。
【図３】図２のＡ−Ａ線に沿う断面図。
【図４】本発明の第３実施例に係る蒸発燃料捕集装置を示す断面図。
【図５】図４のＢ−Ｂ線に沿う断面図。
【図６】本発明の第４実施例に係る蒸発燃料捕集装置を示す断面図。
【図７】図６のＣ−Ｃ線に沿う断面図。
【符号の説明】
１…ケーシング
２…吸着剤
３…通路
４…燃料蒸気導入口
５…燃料蒸気排出口
６…大気開放口
７…非極性物質吸着剤
８…極性物質吸着剤
【図１】
2004011443.tif 000003
【図２】
2004011443.tif 000004
【図３】
2004011443.tif 000005
【図４】
2004011443.tif 000006
【図５】
2004011443.tif 000007
【図６】
2004011443.tif 000008
【図７】
2004011443.tif 000009